(57)【要約】【課題】  印刷されたテープがリサイクル可能であることが看取しやすいテープ印刷装置、プログラム及びテープカセットを提供する。【解決手段】  カセット検出部からの検出結果を取得し（Ｓ６１）、テープの種類がリサイクル可能なテープの場合には（Ｓ６４：ＹＥＳ）、ＲＡＭ１０４のリサイクルマーク付加フラグ領域１４３を確認し、リサイクルマークを付加する設定とされている場合に限り、リサイクル枠やリサイクルマークの網掛けによるリサイクルマークの印刷イメージを作成し、テキストの印刷イメージと合成して、リサイクル可能テープ用の印刷イメージを作成する（Ｓ６５）。テープの種類がリサイクル可能なテープでない場合には（Ｓ６４：ＮＯ）、リサイクルマークの付加設定の有無にかかわらず、テキストデータのみか通常の枠を付加したリサイクル不可テープ用の印刷イメージを作成する（Ｓ６６）。【選択図】  図１５
2006248059.tif 000002
【特許請求の範囲】
【請求項１】
テープカセットに内蔵されたテープに印刷を行なうテープ印刷装置において、
前記テープカセットに内蔵されたテープの種類を検出する検出手段と、
印刷データを記憶する印刷データ記憶手段と、
当該印刷データ記憶手段に記憶されている印刷データに基づき、前記テープに印刷を行なうプリントヘッドと、
前記テープに印刷するための、リサイクル可能であることを示す文字、図形、記号又はこれらの組み合わせからなるリサイクルマークデータを記憶するリサイクルマーク記憶手段と、
前記検出手段により、前記テープの種類がリサイクル可能なテープであることが検出された場合に、前記リサイクルマーク記憶手段に記憶されているリサイクルマークデータを、前記印刷データ記憶手段に記憶されている印刷データと合成する合成手段と、
当該合成手段により合成された印刷データである合成データに基づき印刷を実行するよう前記プリントヘッドを制御する印刷制御手段とを備えたことを特徴とするテープ印刷装置。
【請求項２】
前記リサイクルマークデータを印刷するか否かを設定するリサイクルマーク印刷設定手段を備え、
前記合成手段は、前記検出手段により前記テープの種類がリサイクル可能なテープであることが検出されており、かつ、前記リサイクルマーク印刷設定手段により前記リサイクルマークデータを印刷すると設定されたときに、前記リサイクルマークデータを前記印刷データと合成することを特徴とする請求項１に記載のテープ印刷装置。
【請求項３】
前記合成手段は、前記検出手段により、前記テープの種類がリサイクル可能なテープであることが検出されていない場合に、前記リサイクルマーク印刷設定手段により前記リサイクルマークデータを印刷すると設定されたときには、前記リサイクルマークデータを前記印刷データと合成しないことを特徴とする請求項２に記載のテープ印刷装置。
【請求項４】
前記検出手段により、前記テープの種類がリサイクル可能なテープであることが検出されていない場合に、前記リサイクルマーク印刷設定手段により前記リサイクルマークを印刷すると設定されたとき、リサイクル可能でない旨を報知する報知手段を備えたことを特徴とする請求項２または３に記載のテープ印刷装置。
【請求項５】
前記リサイクルマーク印刷設定手段は、前記検出手段により、前記テープの種類がリサイクル可能なテープであることが検出されていない場合には、前記リサイクルマークデータを印刷しないように設定することを特徴とする請求項２に記載のテープ印刷装置。
【請求項６】
請求項１乃至５のいずれかに記載のテープ印刷装置の各種処理手段としてコンピュータを機能させるためのテープ印刷プログラム。
【請求項７】
テープカセットに内蔵されたテープの種類を検出する検出手段と、印刷データを記憶する印刷データ記憶手段と、当該印刷データ記憶手段に記憶されている印刷データに基づき、前記テープに印刷を行なうプリントヘッドと、前記テープに印刷するための、リサイクル可能であることを示す文字、図形、記号又はこれらの組み合わせからなるリサイクルマークデータを記憶するリサイクルマーク記憶手段と、前記検出手段により、前記テープの種類がリサイクル可能なテープであることが検出された場合に、前記リサイクルマーク記憶手段に記憶されているリサイクルマークデータを、前記印刷データ記憶手段に記憶されている印刷データと合成する合成手段と、当該合成手段により合成された印刷データである合成データに基づき印刷を実行するよう前記プリントヘッドを制御する印刷制御手段とを備えたテープ印刷装置に使用され、該テープ印刷装置に着脱可能に装着されるテープカセットであって、
前記内蔵されたテープがリサイクル可能であるか否かを識別する識別手段を有することを特徴とするテープカセット。
【発明の詳細な説明】
【技術分野】
【０００１】
本発明は、テープカセットに収納したテープに印字を行うテープ印刷装置、テープ印刷プログラム及びテープ印刷装置に使用するテープカセットに関するものである。
【背景技術】
【０００２】
従来、テープ状のラベルを作成するテープ印刷装置が知られている。このテープ印刷装置では、テープカセットが着脱可能に構成されており、このテープカセット内に印字媒体としてのテープ及び印字リボンを収納し、サーマルヘッドによりテープに印字を行うようになっている。前記テープとしては幅や構造の異なる複数種類のテープを用いることができるので、それらの各テープに収納した複数種類のテープカセットが用意されている。
【０００３】
ところで、近年のリサイクル意識の高まりに伴い、例えば紙をリサイクルする場合に、紙にテープやラベルが貼られていると、テープやラベルもリサイクル可能なものでなければ、リサイクルに供するためにはテープを紙から剥がさなければならず、煩雑なためにリサイクルが進まないという問題がある。このような問題を解決するために、リサイクル可能な粘着テープも考案されている（例えば、特許文献１）。
【０００４】
このようなリサイクル可能なテープやラベルを用いる場合、リサイクル可能なことを何らかの形で操作者に示さないと、せっかくのリサイクル可能な効果を生かすことができない。このため、例えばラベルの剥離紙にリサイクルマークを印刷するようなことも行なわれている。また、上記特許文献１では、テープがリサイクル可能なことを示すために、あらかじめテープ上に「このテープはリサイクル可能です」というメッセージを印刷しておくことも提案されている。
【０００５】
上述のようなテープ印刷装置に用いるテープについても、粘着テープと同様の理由で、リサイクルを促進するためにもリサイクル可能なテープを用いることが考えられている。
【特許文献１】特開２０００−８６９８６号公報
【発明の開示】
【発明が解決しようとする課題】
【０００６】
しかしながら、例えばテープ印刷装置で用いるリサイクル可能なテープの剥離紙にリサイクル可能な旨の表示を入れるようにしても、テープを廃棄する際には既に剥離紙は捨てられているため、リサイクル可能なテープかどうかが不明となってしまう。また、あらかじめテープにリサイクル可能な旨を印刷しておいても、使用したテープの長さによってはそのメッセージが読取可能かどうかが定かでない。また、操作者によってはリサイクル可能メッセージがあるテープ上に印刷を行なうのは見栄えの点で好ましくないと考える場合もある。
【０００７】
本発明は上記問題を解決するためになされたものであり、印刷されたテープがリサイクル可能であることが看取しやすいテープ印刷装置、テープ印刷プログラム及びこれらに用いるテープカセットを提供することを目的とする。
【課題を解決するための手段】
【０００８】
上記目的を達成するために、本発明の請求項１に記載のテープ印刷装置は、テープカセットに内蔵されたテープに印刷を行なうテープ印刷装置において、前記テープカセットに内蔵されたテープの種類を検出する検出手段と、印刷データを記憶する印刷データ記憶手段と、当該印刷データ記憶手段に記憶されている印刷データに基づき、前記テープに印刷を行なうプリントヘッドと、前記テープに印刷するための、リサイクル可能であることを示す文字、図形、記号又はこれらの組み合わせからなるリサイクルマークデータを記憶するリサイクルマーク記憶手段と、前記検出手段により、前記テープの種類がリサイクル可能なテープであることが検出された場合に、前記リサイクルマーク記憶手段に記憶されているリサイクルマークデータを、前記印刷データ記憶手段に記憶されている印刷データと合成する合成手段と、当該合成手段により合成された印刷データである合成データに基づき印刷を実行するよう前記プリントヘッドを制御する印刷制御手段とを備えたことを特徴とする。
【０００９】
また、本発明の請求項２に記載のテープ印刷装置は、請求項１に記載の発明の構成に加え、前記リサイクルマークデータを印刷するか否かを設定するリサイクルマーク印刷設定手段を備え、前記合成手段は、前記検出手段により前記テープの種類がリサイクル可能なテープであることが検出されており、かつ、前記リサイクルマーク印刷設定手段により前記リサイクルマークデータを印刷すると設定されたときに、前記リサイクルマークデータを前記印刷データと合成することを特徴とする。
【００１０】
また、本発明の請求項３に記載のテープ印刷装置は、請求項２に記載の発明の構成に加え、前記合成手段が、前記検出手段により、前記テープの種類がリサイクル可能なテープであることが検出されていない場合に、前記リサイクルマーク印刷設定手段により前記リサイクルマークデータを印刷すると設定されたときには、前記リサイクルマークデータを前記印刷データと合成しないことを特徴とする。
【００１１】
また、本発明の請求項４に記載のテープ印刷装置は、請求項２または３に記載の発明の構成に加え、前記検出手段により、前記テープの種類がリサイクル可能なテープであることが検出されていない場合に、前記リサイクルマーク印刷設定手段により前記リサイクルマークを印刷すると設定されたとき、リサイクル可能でない旨を報知する報知手段を備えたことを特徴とする。
【００１２】
また、本発明の請求項５に記載のテープ印刷装置は、請求項２に記載の発明の構成に加え、前記リサイクルマーク印刷設定手段が、前記検出手段により、前記テープの種類がリサイクル可能なテープであることが検出されていない場合には、前記リサイクルマークデータを印刷しないように設定することを特徴とする。
【００１３】
また、本発明の請求項６に記載のテープ印刷プログラムは、請求項１乃至５のいずれかに記載の発明の各種処理手段としてコンピュータを機能させる。
【００１４】
また、本発明の請求項７に記載のテープカセットは、テープカセットに内蔵されたテープの種類を検出する検出手段と、印刷データを記憶する印刷データ記憶手段と、当該印刷データ記憶手段に記憶されている印刷データに基づき、前記テープに印刷を行なうプリントヘッドと、前記テープに印刷するための、リサイクル可能であることを示す文字、図形、記号又はこれらの組み合わせからなるリサイクルマークデータを記憶するリサイクルマーク記憶手段と、前記検出手段により、前記テープの種類がリサイクル可能なテープであることが検出された場合に、前記リサイクルマーク記憶手段に記憶されているリサイクルマークデータを、前記印刷データ記憶手段に記憶されている印刷データと合成する合成手段と、当該合成手段により合成された印刷データである合成データに基づき印刷を実行するよう前記プリントヘッドを制御する印刷制御手段とを備えたテープ印刷装置に使用され、該テープ印刷装置に着脱可能に装着されるテープカセットであって、前記内蔵されたテープがリサイクル可能であるか否かを識別する識別手段を有することを特徴とする。
【発明の効果】
【００１５】
本発明の請求項１に記載のテープ印刷装置は、装着されているテープカセットに内蔵されたテープがリサイクル可能なものであると検出手段により検出された場合には、予め用意されたリサイクルマークデータを、テキスト等の印刷データと合成して印刷を実行する。従って、印刷済テープが貼付された状態でそのテープがリサイクル可能であるかをすぐに把握することができ、印刷済テープが貼付された紙等の分別を容易に行なうことができる。
【００１６】
また、本発明の請求項２に記載のテープ印刷装置は、請求項１に記載の発明の効果に加え、リサイクルマーク印刷設定手段により、リサイクルマークを印刷するかどうかを選択でき、印刷する設定にされている場合に限り、リサイクルマークデータが印刷データと合成されて印刷される。見栄えの問題からリサイクルマークを印刷したくない場合や、リサイクル可能テープしか使わないので特に表示させる必要がないと判断される場合など、操作者の用途に応じてリサイクルマークを印刷するかしないかを選択することができる。
【００１７】
また、本発明の請求項３に記載のテープ印刷装置は、請求項２に記載の発明の効果に加え、リサイクルマーク印刷設定手段により、リサイクルマークを印刷すると設定された場合にも、装着されているテープがリサイクル可能でない場合には、リサイクルマークは印刷されない。操作者の誤解によりリサイクル不可能なテープにリサイクルマークを印刷しようとしても、実行されないので、誤ってリサイクル可能でないのにリサイクル可能であるかのように表示してしまうことを防止できる。
【００１８】
また、本発明の請求項４に記載のテープ印刷装置は、請求項２または３に記載の発明の効果に加え、リサイクル可能テープが検出されていないのに、リサイクルマークを付加する設定をされた場合には、その旨を報知するようにしたので、操作者が装着されているテープの種類を誤解しているような場合に、リサイクルマークの印刷設定をしてしまうということが防止できる。
【００１９】
また、本発明の請求項５に記載のテープ印刷装置は、請求項２に記載の発明の効果に加え、リサイクル可能テープが検出されていないときには、リサイクルマークを付加しないように設定が行なわれるので、リサイクル不可能なテープには、リサイクルマークの印刷は実行されない。
【００２０】
また、本発明の請求項６に記載のテープ印刷プログラムは、コンピュータに実行させることで請求項１乃至５のいずれかに記載の発明の作用効果を奏することができる。
【００２１】
また、本発明の請求項７に記載のテープカセットは、識別手段により内蔵されたテープがリサイクル可能であるか否かを識別することができるので、このテープカセットをテープ印刷装置に装着することにより、リサイクルマークをテキスト等の印刷データと合成してテープに印刷することができる。
【発明を実施するための最良の形態】
【００２２】
次に本発明を実施するための最良の形態について図面を参照して説明する。図１は本発明のテープ印刷装置１のテープ収納部の蓋を取り去った状態を示す平面図である。
【００２３】
図１に示すように、テープ印刷装置１の後部には、後述するテープカセット５１（図２参照）を収納する凹部であるテープカセット収納部２が設けられ、また、テープ印刷装置１の前部には、文字や記号を入力するキーボード部３が設けられ、キーボード部３には、文字、記号及び機能のコマンドを入力するキー３Ａが複数配列されている。また、テープカセット収納部２とキーボード部３との間には、液晶表示装置４が設けられ、キーボード部３で入力された文字、記号等が表示可能となっている。
【００２４】
また、テープ印刷装置１のテープカセット収納部２内の右上隅（図１における）には、本発明の検出手段であるカセット検出部５が設けられ、カセット検出部５には、貫通孔１９が複数設けられ、貫通孔１９からは、検出センサ基板８０（図５参照）上に設けられた検出スイッチ６（図５参照）のスイッチ端子軸６Ａが突出している。検出スイッチ６は、後述するように、テープカセット５１の検出孔との組み合わせにより、テープカセット収納部２に収納されたテープカセット５１を検出するためのものである。
【００２５】
次に、図２〜図４を参照して、テープ印刷装置１のテープカセット収納部２に装着されるテープカセット５１の構造を説明する。図２は、テープカセット５１の斜視図である。図３は、テープカセット５１の底面図である。図４は、上ケース５２を取り外した状態の下ケース５３の平面図である。
【００２６】
図２に示すように、テープカセット５１は上ケース５２と下ケース５３とから構成され、テープカセット５１には、後述する印字テープ６７の離形紙を外側に向けて巻回したテープスプール６８（図４参照）を回動可能に支持する支持孔５７、サーマルヘッド（図示外）により印字テープ６７上に文字等を印字する際にリボンスプール７０（図４参照）からインクリボン６９（図４参照）を引き出すとともに巻取るリボン巻取スプール７１（図４参照）を支持する支持孔５５が形成されている。
【００２７】
尚、図２には、上ケース５２に形成された各支持孔５５、５７のみしか図示されていないが、下ケース５３についても同様に上ケース５２の各支持孔に対向して支持孔５５、５７が形成されている。
【００２８】
また、テープカセット５１の前側（図２中下側）には、テープスプール６８（図４参照）から引き出された印字テープ６７（図４参照）、及び、リボンスプール７０（図４参照）から引き出されたインクリボン６９（図４参照）を案内し、開口５８Ａから送出するアーム部５８が設けられており、かかるアーム部５８の後方にはテープ印刷装置１のサーマルヘッドが装着されるヘッド装着部５９が設けられている。
【００２９】
更に、ヘッド装着部５９においてアーム部５８と対向する壁部５９Ａにはテープカセット５１の後方に向かって入り込んだ第１嵌合部６０が形成され、また、ヘッド装着部５９の左側側壁には第１嵌合部６０と直交する方向（壁部５９Ａに沿った方向）に入り込んだ第２嵌合部６１が形成されている。これらの各第１嵌合部６０、第２嵌合部６１は、サーマルヘッドを支持する図示外のヘッドホルダに形成された２つの各突起部に嵌合されて、ヘッド装着部５９に対するサーマルヘッドの装着を各インクリボン６９、印字テープ６７に干渉することなく確実に行うためのものである。
【００３０】
更に、各インクリボン６９、印字テープ６７の走行方向に関しヘッド装着部５９の下流側において、テープ送りローラ６２が支持孔６３に回動可能に支持されており、かかるテープ送りローラ６２は、それに対向する側からテープ送りローラ６２に圧接される圧接ローラ（図示外）との協働により、テープスプール６８から印字テープ６７を引き出す。また、テープ送りローラ６２の近傍位置には上下一対の規制部材６４、６５が設けられており、これらの各規制部材６４、６５は、サーマルヘッドの下流側にて文字等が印字された印字テープ６７を幅方向に規制案内するものである。
【００３１】
また、図３に示すように、テープカセット５１の裏面の左後縁には、本発明の識別手段である識別部６６が形成されており、この識別部６６には、テープカセット５１の種類（例えば、各印字テープ６７の幅、テープがリサイクル可能なものであるか否か等によりテープカセット５１の種類が特定される）を検出するため所定のパターンをもって複数個の識別孔６６Ａが穿設されている。
【００３２】
次に、テープカセット５１の内部構成について図４に基づいて説明する。図４は上ケース５２を取り外した状態の下ケース５３の平面図であり、下ケース５３内の後部（図４中上部）において印字テープ６７を巻回したテープスプール６８が前記支持孔５７を介して回動可能に配置されている。また、下ケース５３の前部（図４中下部）には、インクリボン６９を巻回したリボンスプール７０が回動可能に配置され、更に、リボンスプール７０からインクリボン６９を引き出すとともに、文字等の印字にて消費されたインクリボン６９を巻き取るリボン巻取スプール７１が、テープスプール６８とリボンスプール７０との間で前記支持孔５５を介して回動可能に配置されている。
【００３３】
印字テープ６７は、前記したようにテープ送りローラ６２と図示外の圧接ローラ（テープ印刷装置側１に設けられている）との協働により、テープスプール６８から引き出され、アーム部５８の開口５８Ａからヘッド装着部５９の前側（図４下側）を通過した後、テープ排出部７４からテープカセット５１の外方へ排出される。また、インクリボン６９は、リボン巻取スプール７１を介してリボンスプール７０から引き出され、アーム部５８の開口５８Ａからヘッド装着部５９の前側（図４中下側）を通過した後、各規制部材６４、６５の内方に形成された案内部７５に案内されてリボン巻取スプール７１の周囲に巻き取られる。
【００３４】
尚、リボン巻取スプール７１の下部にはクラッチバネ７６が取り付けられており、このクラッチバネ７６はリボン巻取スプール７１が逆転して巻き取ったインクリボン６９が緩んでしまうことを防止するものである。
【００３５】
尚、図４に示すように、下ケース５３内の右後縁には前記識別部６６に設けられた複数個の識別孔６６Ａが穿設されている。
【００３６】
次に、識別部６６と検出スイッチ６とによるテープカセット５１の検出について図５を参照して説明する。図５は、識別部６６と検出スイッチ６との関係を示す説明図である。識別部６６に設けられた識別孔６６Ａの形成パターンは、各テープカセット５１の種類に従って異なるパターンとされている。そして、各識別孔６６Ａには、テープ印刷装置１のカセット検出部５に、配設された複数個の検出スイッチ６のスイッチ端子軸６Ａが挿入される。識別孔６６Ａが設けられている箇所に対向した検出スイッチ６は、オフとなり、識別孔６６Ａが設けられていない箇所に対向した検出スイッチ６は、識別部６６の基板によりスイッチ端子軸６Ａが押し込まれることになるので、オンとなる。この複数個の検出スイッチ６のオン・オフの組合せに基づいてテープカセット５１の種類が検出される。本実施形態においては、５つの検出スイッチの組み合わせによって、以下のようにテープの種類が特定される。
【表１】
2006248059.tif 000003
【００３７】
尚、前記識別孔６６Ａは必ずしも孔形状でなくても良く、孔の変わりに、識別部６６の外面をテープカセット５１の幅方向の中心に向かって凹むように切欠いた切欠凹部を形成しても良い。要するに、孔の代わりに、対向する検出スイッチ６のスイッチ端子軸６Ａが挿入されて検出スイッチ６がオフとなるような窪んだ形状であれば良い。
【００３８】
次に、図６〜図８を参照して、テープ印刷装置１の電気的構成について説明する。図６は、テープ印刷装置１の制御構成を示すブロック図である。図７は、ＲＯＭ１０２の構成を示す模式図である。図８は、ＲＡＭ１０４の構成を示す模式図である。図９は、枠データの例を示すイメージ図である。図１０は、リサイクルマーク用網掛けデータの例を示すイメージ図である。
【００３９】
図６に示すように、テープ印刷装置１の制御構成は、制御基板上に形成される制御回路部１００を核として構成されている。制御回路部１００には、各機器を制御するＣＰＵ１０１と、このＣＰＵ１０１にデータバス１０６を介して接続された入出力インタフェース１０５、ＣＧＲＯＭ１０３、ＲＯＭ１０２、ＲＡＭ１０４とから構成されている。ここで、ＣＧＲＯＭ１０３には、多数のキャラクタの各々に関して、表示のためのドットパターンデータがコードデータに対応させて格納されている。
【００４０】
また、入出力インタフェース１０５には、キーボード部３と、検出スイッチ６と、液晶表示装置４に表示データを出力するためのビデオＲＡＭ（図示外）を有するディスプレイコントローラ（以下、ＬＣＤＣという）１０９と、サーマルヘッド１１を駆動するための駆動回路１０７と、テープ送りモータ３７を駆動するための駆動回路１０８とが各々接続されている。
【００４１】
また、図７に示すように、ＲＯＭ１０２には、ＣＧデータ記憶領域１２１，プログラム記憶領域１２２，枠データ記憶領域１２３，リサイクルマーク用網掛けデータ記憶領域１２４，その他のデータ領域１２５が設けられている。ＣＧデータ記憶領域１２１には、アルファベット文字や記号等のキャラクタを印字するための多数のキャラクタの各々に関して、印字用ドットパターンデータが、書体（ゴシック系書体、明朝体書体等）毎に分類され、各書体毎に６種類（１６、２４、３２、４８、６４、９６のドットサイズ）の印字文字サイズ分、コードデータに対応させて格納されている。また、グラフィック画像を印字するためのグラフィックパターンデータも記憶されている。
【００４２】
また、プログラム記憶領域１２２には、キーボード部３から入力された文字や数字等のキャラクタのコードデータに対応させてＬＣＤＣ１０９を制御する表示駆動制御プログラム、プリントバッファ１４２（図８参照）のデータを読み出してサーマルヘッド１１やテープ送りモータ３７を駆動する印字駆動制御プログラム、リサイクルマークを印刷するか否かを制御するリサイクルマーク印刷制御プログラム、その他テープ印刷装置１の制御上必要な各種のプログラムが格納されている。そして、ＣＰＵ１０１は、かかるＲＯＭ１０２に記憶されている各種プログラムに基づいて各種の演算を行うものである。
【００４３】
さらに、枠データ記憶領域１２３には、テキストに対して枠が印刷される場合に、テキストデータと合成するための枠データが記憶されている。枠データは、通常の角枠や角丸枠のような飾り枠の他に、本実施形態ではリサイクル可能なテープであることを示すリサイクル枠が用意されている。各枠データは、図９に示すように、枠の縦辺横辺に相当する片により構成され、それぞれテープの幅分に相当する数を使用することにより枠の形状が作成される。例えば、リサイクル枠データ２００は、横片２０１，前部縦片２０２，後部縦片２０３によりなっている。これを組み合わせることにより、リサイクル枠とテキストを合成した印刷データが生成され、図１７の印刷イメージ３１０〜３４０に示すような印刷結果が得られる。同様に、角枠データ２１０は横片２１１，前部縦片２１２，後部縦片２１３によりなり、丸枠データ２２０は、横片２２１，前部縦片２２２，後部縦片２２３によりなっている。
【００４４】
また、リサイクルマーク用網掛けデータ記憶領域１２４には、リサイクルマークとしてリサイクルマークの網掛け印刷が選択された場合に使用する網掛けデータが記憶されている。この網掛けデータは、例えば、図１０に示すように、１単位の網掛けイメージデータ３００を保存しておき、この網掛けイメージデータを印刷するテキストデータの長さ分だけ敷き詰めるようにして使用する。このようにすることで、図１７に示すような網掛けを使用した印刷結果３５０が得られる。なお、敷き詰める際には、印刷長にかかわらず「リサイクル」の文字が途中でできるだけとぎれないように、各段の開始位置をずらして敷き詰めるようにするとさらに好適である。なお、枠データ記憶領域１２３及びリサイクルマーク用網掛けデータ記憶領域１２４が本発明のリサイクルマーク記憶手段に相当する。
【００４５】
また、図８に示すように、ＲＡＭ１０４には、テキストバッファ１４１、本発明の印刷データ記憶領域であるプリントバッファ１４２、リサイクルマーク付加フラグ領域１４３、リサイクル枠フラグ領域１４４、枠種別領域１４５、その他データ領域１４６等が設けられている。テキストバッファ１４１には、キーボード部３から入力された文書データが格納される。また、プリントバッファ１４２には、複数の文字や記号等の印字用ドットパターンや各ドットの形成エネルギ量である印加パルス数等がドットパターンデータとして格納され、サーマルヘッド１１はかかるプリントバッファ１４２に記憶されているドットパターンデータに従ってドット印字を行う。また、リサイクルマーク付加フラグ領域１４３には、リサイクルマークを付加すると設定された場合にＯＮとされ、付加しないと設定された場合にＯＦＦとするリサイクルマーク付加フラグが記憶される。さらに、リサイクル枠フラグ領域１４４には、リサイクルマークとしてリサイクル枠が選択された場合にＯＮとされ、選択されなかった場合にはＯＦＦとされるリサイクル枠フラグが記憶される。また、枠種別領域１４５には、テキストと共に枠を印刷する場合の種別が記憶される。
【００４６】
以上の構成を有するテープ印刷装置１において、キーボード部３の文字キーを介して文字等が入力された場合、そのテキスト（文書データ）がＲＡＭ１０４のテキストバッファ１４１に順次記憶されていくとともに、ドットパターン発生制御プログラム及び表示駆動制御プログラムに基づいてキーボード部３を介して入力された文字等に対応するドットパターンが液晶表示装置４上に表示される。また、サーマルヘッド１１は駆動回路１０７を介して駆動され、プリントバッファ１４２に記憶されたドットパターンデータの印字を行い、これと同期してテープ送りモータ３７が駆動回路１０８を介してテープの送り制御を行うものである。ここで、サーマルヘッド１１は、駆動回路１０７を介して発熱素子が１ライン分の印字ドットに対応して選択的に発熱駆動されることによって、文字等をテープ上に印字する。
【００４７】
次に、上記の構成を有するテープ印刷装置１の動作について図１１〜図１８を参照して説明する。図１１は、テープ印刷装置１の印刷制御処理のメインルーチンのフローチャートである。図１２は、図１１のＳ４で実行される編集処理のサブルーチンのフローチャートである。図１３は、設定画面の例を示す説明図である。図１４は、図１２のＳ４２で実行されるリサイクルマーク付加設定処理のサブルーチンのフローチャートである。図１５は、図１１のＳ６で実行される印刷処理のサブルーチンのフローチャートである。図１６は、図１５のＳ６５で実行されるリサイクルテープ用印刷イメージ作成処理のサブルーチンのフローチャートである。図１７は、リサイクルマークを付加した印刷イメージの例を示す説明図である。図１８は、図１５のＳ６６で実行されるリサイクル不可テープ用印刷イメージ作成処理のサブルーチンのフローチャートである。
【００４８】
まず、テープ印刷装置１に電源が投入されて起動すると、図１１に示すように、各種の初期値やフラグ等を初期化する（Ｓ１）。そして、キーボード部３から入力がなされるまで（Ｓ２：ＮＯ）、待機する。入力がなされた場合には（Ｓ２：ＹＥＳ）、その入力が編集を指示する操作であるか否かを判断する（Ｓ３）。編集操作であれば（Ｓ３：ＹＥＳ）、編集処理を実行する（Ｓ４）。編集処理の詳細は、図１２〜図１４を参照して後述する。
【００４９】
編集操作でなければ（Ｓ３：ＮＯ）、印刷を指示する操作であるか否かを判断する（Ｓ５）。印刷指示操作であれば（Ｓ５：ＹＥＳ）、印刷処理を実行する（Ｓ６）。印刷処理の詳細は、図１５〜図１８を参照して後述する。印刷指示操作でなければ（Ｓ５：ＮＯ）、テープ印刷装置１のその他の処理を実行し（Ｓ７）、Ｓ２に戻って入力がなされるのを待つ。同様に、編集処理（Ｓ４）や印刷処理（Ｓ６）の終了後もＳ２に戻って入力がなされるのを待つ。テープ印刷装置１では、以上の処理が繰り返し実行される。
【００５０】
次に、図１１のＳ４で実行される編集処理について、図１２を参照して説明する。まず、操作者からなされた入力が、リサイクルマークの付加の設定か否かを判断する（Ｓ４１）。本実施形態では、テキストを印刷する際に、テープカセット収納部２に収納されているテープカセット５１がリサイクル可能なテープである場合には、リサイクル可能なことを示すリサイクルマークを印刷データと合成して、印刷実行時に共に印刷することができる。そのようなリサイクルマークを付加するか否かは、操作者が選択することができる。ここでは、そのリサイクルマーク付加の設定が行われたか否かを判断するものである。
【００５１】
リサイクルマーク付加設定であれば（Ｓ４１：ＹＥＳ）、図１３に示すような、リサイクルマークを付加するための設定画面２００を表示してリサイクルマーク付加設定処理を実行する（Ｓ４２）。リサイクルマーク付加設定処理の詳細については図１４を参照して後述する。
【００５２】
リサイクルマーク付加設定でなければ（Ｓ４１：ＮＯ）、印刷対象テキストを囲む枠をつけるか否かを設定する枠設定か否かを判断する（Ｓ４３）。本実施形態のテープ印刷装置１では、通常のテープ印刷装置と同様に、テキストを囲む飾り枠を印刷することができる。そして、本実施形態に特有の枠として、リサイクルマークを枠として印刷するリサイクル枠をテキストにつけて印刷することもできる。
【００５３】
枠設定である場合には（Ｓ４３：ＹＥＳ）、次に、ＲＡＭ１０４のリサイクルマーク付加フラグ領域１４３を確認し、リサイクルマークを付加する設定とされているか否かを判断する（Ｓ４４）。リサイクルマークを付加する設定の場合には（Ｓ４４：ＹＥＳ）、図１３に示すような、リサイクル枠を選択肢に含む枠設定画面２１０を表示してその中から操作者に所望の枠を選択させる（Ｓ４５）。枠設定画面２１０では、図１３に示すように、「リサイクル枠」、「丸枠」、「角枠」、「枠なし」の中からラジオボタンで所望の枠を選択し、キーボード部３のＯＫキーを押すことで確定することができる。また、ラジオボタンは、枠設定画面２１０の表示直後においては、先頭の選択肢が選択状態にあり、キーボード部３の上下キーを押すことで選択を変更することができる。以下に説明する各種設定画面におけるラジオボタンの操作方法も同様とする。
【００５４】
そして、リサイクル枠が選ばれたか否かを判断し（Ｓ４６）、リサイクル枠が選ばれた場合には（Ｓ４６：ＹＥＳ）、ＲＡＭ１０４のリサイクル枠フラグ領域１４４に記憶されるリサイクル枠フラグを「ＯＮ」にし（Ｓ４７）、図１１に戻る。リサイクル枠が選ばれなかった場合には（Ｓ４６：ＮＯ）、リサイクル枠フラグ領域１４４に記憶されるリサイクル枠フラグを「ＯＦＦ」にし（Ｓ４９）、図１１に戻る。
【００５５】
また、リサイクルマーク付加フラグが「ＯＦＦ」で、リサイクルマークを付加する設定になっていない場合には（Ｓ４４：ＮＯ）、図１３に示すような、リサイクル枠を選択肢に含まない枠設定画面２２０を表示してその中から操作者に所望の枠を選択させる（Ｓ４８）。枠設定画面２２０では、「丸枠」、「角枠」、「枠なし」の中からラジオボタンで選択し、キーボード部３のＯＫキーを押すことで確定することができる。そして、ＲＡＭ１０４のリサイクル枠フラグ領域１４４に記憶されるリサイクル枠フラグを「ＯＦＦ」にし（Ｓ４９）、図１１に戻る。
【００５６】
また、枠設定でない場合には（Ｓ４３：ＮＯ）、その他の編集処理をして（Ｓ５０）、処理終了後に図１１に戻る。
【００５７】
次に、図１４を参照して、図１２のＳ４２で実行されるリサイクルマーク付加設定処理について説明する。まず、図１３に示すような、リサイクルマーク付加設定画面２００を表示する（Ｓ４２１）。このリサイクルマーク付加設定画面２００では、操作者は「リサイクルマークを付加する」か「リサイクルマークを付加しない」かを、ラジオボタンで選択し、キーボード部３のＯＫキーを押すことで確定する。
【００５８】
次に、「リサイクルマークを付加する」が選択されたか否かを判断する（Ｓ４２２）。リサイクルマーク付加が選択されていれば（Ｓ４２２：ＹＥＳ）、ＲＡＭ１０４のリサイクルマーク付加フラグ領域１４３に記憶するリサイクルマーク付加フラグを「ＯＮ」にし（Ｓ４２３）、図１２に戻る。「リサイクルマークを付加しない」が選択された場合には（Ｓ４２２：ＮＯ）、ＲＡＭ１０４のリサイクルマーク付加フラグ領域１４３に記憶するリサイクルマーク付加フラグを「ＯＦＦ」にし（Ｓ４２４）、図１２に戻る。
【００５９】
次に、図１５を参照して、図１１のＳ６で実行される印刷処理について説明する。図１５に示すように、まず、カセット検出部５から入力されるテープ種類の検出結果を取得する（Ｓ６１）。そして、その検出結果から、テープカセット５１が収納されているか否かを判断する（Ｓ６２）。前述のように、本実施形態では、カセット検出部５の第４検出スイッチがＯＦＦで第５検出スイッチがＯＦＦの場合は、テープカセット５１がテープカセット収納部２に装着されていない。テープカセット５１がテープカセット収納部２に装着されていない場合には（Ｓ６２：ＮＯ）、印刷実行ができないので、テープカセット５１を装着するように促すメッセージを液晶表示装置４に表示したり、ビープ音を鳴らしたりするエラー処理を行ない（Ｓ６３）、図１１に戻る。
【００６０】
テープカセット５１がテープカセット収納部２に正常に装着されている場合には（Ｓ６２：ＹＥＳ）、そのテープの種類がリサイクル可能なテープか否かを判断する（Ｓ６４）。具体的には、スイッチセンサからの入力が、第１検出スイッチがＯＮであれば、リサイクル可能なテープであると判断される。リサイクル可能なテープの場合には（Ｓ６４：ＹＥＳ）、リサイクル可能テープ用の印刷イメージを作成する（Ｓ６５）。このリサイクル可能テープ用印刷イメージ作成処理の詳細については、図１６を参照して後述する。また、リサイクル可能なテープでない場合には（Ｓ６４：ＮＯ）、リサイクル不可テープ用の印刷イメージを作成する（Ｓ６６）。このリサイクル不可テープ用印刷イメージ作成処理の詳細については、図１８を参照して後述する。
【００６１】
Ｓ６５及びＳ６６で印刷イメージの作成が完了したら、その印刷データに基づいて実際にサーマルヘッドを駆動してテープに印刷を実行する（Ｓ６７）。印刷終了後、印刷済テープをカットし（Ｓ６８）、図１１に戻る。
【００６２】
次に、図１６及び図１７を参照して、図１５のＳ６５で実行するリサイクル可能テープ用印刷イメージ作成処理について説明する。図１６に示すように、まず、ＲＡＭ１０４のテキストバッファ１４１に保存されているテキストの印刷イメージを作成し、プリントバッファ１４２に記憶する（Ｓ６５１）。
【００６３】
次に、ＲＡＭ１０４のリサイクルマーク付加フラグ領域１４３を確認し、リサイクルマークを付加する設定とされているか否かを判断する（Ｓ６５２）。リサイクルマーク付加フラグが「ＯＮ」とされている、すなわち、リサイクルマークを付加する設定とされている場合には（Ｓ６５２：ＹＥＳ）、ＲＡＭ１０４の枠種別領域１４５を確認し、枠をつける設定にされているか否かを判断する（Ｓ６５３）。
【００６４】
枠をつける設定になっている場合には（Ｓ６５３：ＹＥＳ）、ＲＯＭ１０２の枠データ記憶領域１２３から該当種別の枠データを呼び出し、枠の印刷イメージを作成する（Ｓ６５４）。そして、その枠種別がリサイクル枠か否かを判断する（Ｓ６５５）。リサイクル枠の場合には（Ｓ６５５：ＹＥＳ）、そのままＳ６５４で作成された枠イメージと、Ｓ６５１で作成されたテキストの印刷イメージとを合成し、図１７に示すような印刷イメージ３１０を作成して、プリントバッファ１４２に記憶する（Ｓ６５６）。以上でリサイクル枠をリサイクルマークとして使用する場合の印刷イメージが作成されたので、図１５に戻る。
【００６５】
なお、リサイクル枠を使用した印刷イメージは、図１７に示す印刷イメージ３１０のように、周囲すべてをリサイクルマークで囲むものに限らず、例えば図１７に示す印刷イメージ３２０のように、テキスト部分の上下を挟むようにリサイクルマークを付加したり、印刷イメージ３３０のように左右に付加したり、印刷イメージ３４０のように、印刷終了部分近傍に付加したり、種々の形態が可能である。また、図１７では、リサイクルマークとして「リサイクル」の文字を使用しているが、「リサイクル可能」と表示したり、あるいは、文字に限らず、図案化したものや記号等も用いることができる。
【００６６】
一方、枠をつけない設定の場合には（Ｓ６５３：ＮＯ）、リサイクルマークを網掛けで印刷することとし、ＲＯＭ１０２のリサイクルマーク用網掛けデータ記憶領域１２４から網掛けデータを呼び出して、その印刷イメージを作成する（Ｓ６５７）。具体的には、図１０に示すような１単位の網掛けイメージデータ３００をテキストデータの長さ分だけ敷き詰めて作成する。そして、その作成した網掛けの印刷イメージと、Ｓ６５１で作成されたテキストの印刷イメージとを合成し、図１７に示すような印刷イメージ３５０を作成して、プリントバッファ１４２に記憶する（Ｓ６５６）。
【００６７】
また、枠をつける設定であっても（Ｓ６５３：ＹＥＳ）、リサイクル以外の枠が指定されている場合には（Ｓ６５５：ＮＯ）、リサイクルマークを網掛けで印刷することとし、ＲＯＭ１０２のリサイクルマーク用網掛けデータ記憶領域１２４から網掛けデータを呼び出して、その印刷イメージを作成する（Ｓ６５７）。そして、その作成した枠の印刷イメージと、Ｓ６５１で作成されたテキストの印刷イメージとを合成し、図１７に示すような印刷イメージ３５０を作成して、プリントバッファ１４２に記憶する（Ｓ６５６）。このように、網掛けによるリサイクルマークの印刷イメージが作成されたら、図１５に戻る。
【００６８】
また、リサイクルマークをつけない設定の場合は（Ｓ６５２：ＮＯ）、次に、ＲＡＭ１０４の枠種別領域１４５を確認し、枠をつける設定にされているか否かを判断する（Ｓ６５８）。枠をつける設定になっている場合には（Ｓ６５８：ＹＥＳ）、ＲＯＭ１０２の枠データ記憶領域１２３から該当種別の枠データを呼び出し、枠の印刷イメージを作成する（Ｓ６５９）。そして、その作成した網掛けの印刷イメージと、Ｓ６５１で作成されたテキストの印刷イメージとを合成し、プリントバッファ１４２に記憶する（Ｓ６５６）。以上でリサイクルマークをつけずに枠をつけて印刷する場合の印刷イメージが作成されたので、図１５に戻る。
【００６９】
また、リサイクルマークも枠も付けない場合には（Ｓ６５２：ＮＯ，Ｓ６５８：ＮＯ）、テキストの印刷イメージのみがプリントバッファ１４２に記憶されている状態で、図１５に戻る。
【００７０】
以上のように、リサイクル可能テープが装着されている場合には、操作者の設定により、リサイクルマークをテキストに合成して印刷するかどうかを選択可能である。さらに、リサイクルマークを印刷することを選択した場合には、リサイクル枠により印刷するか、リサイクルマークを網掛け表示にして印刷するかも選択できる。選択肢が複数用意されているので、用途に応じて使い分けることができる。
【００７１】
次に、図１８を参照して、図１５のＳ６６で実行するリサイクル不可テープ用印刷イメージ作成処理について説明する。まず、図１８に示すように、ＲＡＭ１０４のテキストバッファ１４１に保存されているテキストの印刷イメージを作成し、プリントバッファ１４２に記憶する（Ｓ６６１）。
【００７２】
次に、ＲＡＭ１０４のリサイクルマーク付加フラグ領域１４３を確認し、リサイクルマークを付加する設定とされているか否かを判断する（Ｓ６６２）。リサイクルマーク付加フラグが「ＯＮ」とされている、すなわち、リサイクルマークを付加する設定とされている場合には（Ｓ６６２：ＹＥＳ）、ＲＡＭ１０４の枠種別領域１４５を確認し、枠をつける設定にされているか否かを判断する（Ｓ６６３）。枠をつける設定になっている場合には（Ｓ６６３：ＹＥＳ）、次に、枠種別がリサイクル枠か否かを判断する（Ｓ６６４）。
【００７３】
リサイクル枠以外の枠が指定されている場合には（Ｓ６６４：ＮＯ）、ＲＡＭ１０４の枠種別領域１４５を確認し、ＲＯＭ１０２の枠データ記憶領域１２３から該当種別の枠データを呼び出し、枠の印刷イメージを作成する（Ｓ６６５）。そして、その作成した枠の印刷イメージと、Ｓ６６１で作成されたテキストの印刷イメージとを合成し、プリントバッファ１４２に記憶する（Ｓ６６６）。以上でリサイクルマークをつけずに枠をつけて印刷する場合の印刷イメージが作成されたので、図１５に戻る。
【００７４】
リサイクル枠が指定されている場合には（Ｓ６６４：ＹＥＳ）、図１５のＳ６４でリサイクル可能テープでない判断になっているので、リサイクル枠を印刷することはできないため、リサイクル枠の指定は無視して、Ｓ６６１で作成したテキストの印刷イメージのみがプリントバッファ１４２に記憶されている状態で、図１５に戻る。なお、ここではリサイクル枠がリサイクルテープでない場合に誤って指定されているので、枠の印刷をしないこととしたが、リサイクル枠でない通常の枠として印刷するように構成してもよい。また、リサイクル可能テープでない旨のエラーメッセージを表示するようにしてもよい。
【００７５】
また、枠をつける設定になっていない場合にも（Ｓ６６３：ＮＯ）、Ｓ６６１で作成したテキストの印刷イメージのみがプリントバッファ１４２に記憶されている状態で、図１５に戻る。
【００７６】
リサイクルマークを付加する設定とされていない場合には（Ｓ６６２：ＮＯ）、ＲＡＭ１０４の枠種別領域１４５を確認し、枠をつける設定にされているか否かを判断する（Ｓ６６８）。枠をつける設定になっている場合には（Ｓ６６８：ＹＥＳ）、ＲＡＭ１０４の枠種別領域１４５を確認し、ＲＯＭ１０２の枠データ記憶領域１２３から該当種別の枠データを呼び出し、枠の印刷イメージを作成する（Ｓ６６５）。そして、その作成した枠の印刷イメージと、Ｓ６６１で作成されたテキストの印刷イメージとを合成し、プリントバッファ１４２に記憶する（Ｓ６６６）。以上で枠をつけて印刷する場合の印刷イメージが作成されたので、図１５に戻る。
【００７７】
また、リサイクルマーク付加設定もされておらず、枠も付けない場合には（Ｓ６６２：ＮＯ，Ｓ６６８：ＮＯ）、Ｓ６６１で作成したテキストの印刷イメージのみがプリントバッファ１４２に記憶されている状態で、図１５に戻る。
【００７８】
以上のように、リサイクル可能でないテープの場合には、たとえ操作者がリサイクル可能テープだと思いこんでリサイクルマークの印刷をするように設定したとしても、リサイクルマークの印刷はされないので、テープを貼付した紙等のリサイクルの妨げになるようなことはない。
【００７９】
なお、図１２のＳ４２で実行されるリサイクルマーク付加設定処理を、次のような処理にすることもできる。図１９を参照して、変形例のリサイクルマーク付加設定処理について説明する。図１９は、リサイクルマーク付加設定処理の別の例を示すフローチャートである。
【００８０】
図１９に示すように、まず、カセット検出部５から入力されるテープ種類の検出結果を取得する（Ｓ５２１）。そして、その検出結果から、テープカセット５１が収納されているか否かを判断する（Ｓ５２２）。前述のように、本実施形態では、カセット検出部５の第４検出スイッチがＯＦＦで第５検出スイッチがＯＦＦの場合は、テープカセット５１がテープカセット収納部２に装着されていない。テープカセット５１がテープカセット収納部２に装着されていない場合には（Ｓ５２２：ＮＯ）、印刷実行ができないので、テープカセット５１を装着するように促すメッセージを液晶表示装置４に表示したり、ビープ音を鳴らしたりするエラー報知処理を行なう（Ｓ５２８）。
【００８１】
テープカセット５１がテープカセット収納部２に正常に装着されている場合には（Ｓ５２２：ＹＥＳ）、そのテープの種類がリサイクル可能なテープか否かを判断する（Ｓ５２３）。具体的には、スイッチセンサからの入力が、第１検出スイッチがＯＮであれば、リサイクル可能なテープであると判断される。リサイクル可能なテープの場合には（Ｓ５２３：ＹＥＳ）、図１３に示すような、リサイクルマーク付加設定画面２００を表示する（Ｓ５２４）。このリサイクルマーク付加設定画面２００では、操作者は「リサイクルマークを付加する」か「リサイクルマークを付加しない」かを、ラジオボタンで選択し、キーボード部３のＯＫキーを押すことで確定する。
【００８２】
次に、「リサイクルマークを付加する」が選択されたか否かを判断する（Ｓ５２５）。リサイクルマーク付加が選択されていれば（Ｓ５２５：ＹＥＳ）、ＲＡＭ１０４のリサイクルマーク付加フラグ領域１４３に記憶するリサイクルマーク付加フラグを「ＯＮ」にし（Ｓ５２６）、図１２に戻る。「リサイクルマークを付加しない」が選択された場合には（Ｓ５２５：ＮＯ）、ＲＡＭ１０４のリサイクルマーク付加フラグ領域１４３に記憶するリサイクルマーク付加フラグを「ＯＦＦ」にし（Ｓ５２７）、図１２に戻る。
【００８３】
一方、リサイクル可能なテープでない場合には（Ｓ５２３：ＮＯ）、リサイクルマークの印刷をすることができないので、あらかじめ操作者にリサイクル可能テープでない旨のメッセージを表示したり、ビープ音を鳴らしたりするエラー処理を行なってリサイクル可能テープでないことを報知する（Ｓ５２８）。
【００８４】
このように、リサイクルマーク付加設定処理をする際に、あらかじめ装着されているテープがリサイクル可能なものであるかを確認し、リサイクル可能テープの場合のみ設定が可能になるようにすれば、操作者がリサイクル可能テープと思いこんでリサイクルマークの付加設定を行ない、印刷を実行しても、実際にはリサイクル可能テープでないため印刷が行なわれず、印刷が終了してから勘違いに気がつくというような事態を回避できる。
【００８５】
なお、上記実施の形態において、図１６のＳ６５６でテキストの印刷イメージとリサイクルマークの印刷イメージとの合成処理を実行するＣＰＵ１０１が、本発明の合成手段として機能する。また、図１２のＳ４２及び図１４、図１９のリサイクルマーク付加設定処理を実行するＣＰＵ１０１が本発明のリサイクルマーク印刷設定手段として機能する。また、図１９のＳ５２８でリサイクル可能テープでないことをエラー処理により報知するＣＰＵ１０１が本発明の報知手段として機能する。
【図面の簡単な説明】
【００８６】
【図１】本発明のテープ印刷装置１のテープ収納部の蓋を取り去った状態を示す平面図である。
【図２】テープカセット５１の斜視図である。
【図３】テープカセット５１の底面図である。
【図４】上ケース５２を取り外した状態の下ケース５３の平面図である。
【図５】識別部６６と検出スイッチ６との関係を示す説明図である。
【図６】テープ印刷装置１の制御構成を示すブロック図である。
【図７】ＲＯＭ１０２の構成を示す模式図である。
【図８】ＲＡＭ１０４の構成を示す模式図である。
【図９】枠データの例を示すイメージ図である。
【図１０】リサイクルマーク用網掛けデータの例を示すイメージ図である。
【図１１】テープ印刷装置１の印刷制御処理のメインルーチンのフローチャートである。
【図１２】図１１のＳ４で実行される編集処理のサブルーチンのフローチャートである。
【図１３】設定画面の例を示す説明図である。
【図１４】図１２のＳ４２で実行されるリサイクルマーク付加設定処理のサブルーチンのフローチャートである。
【図１５】図１１のＳ６で実行される印刷処理のサブルーチンのフローチャートである。
【図１６】図１５のＳ６５で実行されるリサイクルテープ用印刷イメージ作成処理のサブルーチンのフローチャートである。
【図１７】リサイクルマークを付加した印刷イメージの例を示す説明図である。
【図１８】図１５のＳ６６で実行されるリサイクル不可テープ用印刷イメージ作成処理のサブルーチンのフローチャートである。
【図１９】リサイクルマーク付加設定処理の別の例を示すフローチャートである。
【符号の説明】
【００８７】
１      テープ印刷装置
２      テープカセット収納部
５      カセット検出部
６      検出スイッチ
６Ａ      スイッチ端子軸
１１      サーマルヘッド
５１      テープカセット
６６      識別部
６６Ａ      識別孔
１０１      ＣＰＵ
１０４      ＲＡＭ
１２３      枠データ記憶領域
１２４      網掛けデータ記憶領域
１４１      テキストバッファ
１４２      プリントバッファ
【図１】
2006248059.tif 000004
【図２】
2006248059.tif 000005
【図３】
2006248059.tif 000006
【図４】
2006248059.tif 000007
【図５】
2006248059.tif 000008
【図６】
2006248059.tif 000009
【図７】
2006248059.tif 000010
【図８】
2006248059.tif 000011
【図９】
2006248059.tif 000012
【図１１】
2006248059.tif 000013
【図１２】
2006248059.tif 000014
【図１３】
2006248059.tif 000015
【図１４】
2006248059.tif 000016
【図１５】
2006248059.tif 000017
【図１６】
2006248059.tif 000018
【図１８】
2006248059.tif 000019
【図１９】
2006248059.tif 000020
【図１０】
2006248059.tif 000021
【図１７】
2006248059.tif 000022